(57)【要約】【課題】特定人に対して実行可能な機能や個人情報などを瞬時に表示することができる携帯電話装置及びその制御方法を得る。【解決手段】特定人に対して実行可能な機能と機能の実行に必要な内容作成画面とを表示する表示手段４２と、機能の表示内容と特定人の個人情報とを記憶する記憶手段４０と、所定のキーを１回入力することにより機能を表示内容に基づいて表示手段４２に表示させ、機能を選択することにより内容作成画面を表示手段４２に表示させる制御手段３６と、を有する構成とした。【選択図】      図１
2005244468.tif 000002
【特許請求の範囲】
【請求項１】
特定人の電子メールアドレスを記憶する記憶手段と、
電子メールの作成画面を表示する表示手段と、
所定のキーを1回入力することにより前記電子メールアドレスに送信するための電子メールの作成画面を前記表示手段に表示させる制御手段と、
を有することを特徴とする携帯電話装置。
【請求項２】
特定人に関する個人情報を表示する表示手段と、
前記個人情報を記憶する記憶手段と、
所定のキーを１回入力することにより前記個人情報を表示手段に表示させる制御手段と、
を有することを特徴とする携帯電話装置。
【請求項３】
特定人に対して実行可能な機能と前記機能の実行に必要な内容作成画面とを表示する表示手段と、
前記機能の表示内容と前記特定人の個人情報とを記憶する記憶手段と、
所定のキーを１回入力することにより前記機能を前記表示内容に基づいて表示手段に表示させ、前記機能を選択することにより前記内容作成画面を前記表示手段に表示させる制御手段と、
を有することを特徴とする携帯電話装置。
【請求項４】
前記個人情報は、特定人の電子メールアドレスであり、
前記内容作成画面は、前記特定人の前記電子メールアドレスに送信するための電子メールの作成画面であることを特徴とする請求項３に記載の携帯電話装置。
【請求項５】
所定のキーが１回入力されると、記憶手段に記憶されている特定人の電子メールアドレスに送信するための電子メールの作成画面が制御手段により表示手段に表示されることを特徴とする携帯電話装置の制御方法。
【請求項６】
所定のキーが１回入力されると、記憶手段に記憶されている特定人に関する個人情報が制御手段により表示手段に表示されることを特徴とする携帯電話装置の制御方法。
【請求項７】
所定のキーが１回入力されると、特定人に対して送信可能な電子メール機能が制御手段により記憶手段に記憶されている表示内容に基づいて表示手段に表示され、
前記電子メール機能が選択されると、前記記憶手段に記憶された前記特定人の電子メールアドレスに送信するための電子メールの作成画面が前記制御手段により前記表示手段に表示されることを特徴とする携帯電話装置の制御方法。
【発明の詳細な説明】
【技術分野】
【０００１】
本発明は、例えば電子メールの送受信が可能な携帯電話装置及びその制御方法に関する。
【背景技術】
【０００２】
従来の携帯電話装置として、ジョグダイヤルを備えた携帯電話装置が知られている（下記特許文献１参照）。この携帯電話装置では、ジョグダイヤルを回転させることにより、表示部に表示される選択画面を切り替えることができる。すなわち、ジョグダイヤルを回転させることにより、ＣＰＵに登録されている特定人の個人情報（例えば、電話番号や電子メールアドレスなど）を表示部に順次表示させることができ、ユーザは表示部から必要な特定人の個人情報を知ることができる。表示部に特定人の個人情報が表示されると、ユーザはその個人情報に基づいて電話をかけることができ、また電子メールなどを送信することができる。
【特許文献１】特開２００３−３３８８７０号公報
【発明の開示】
【発明が解決しようとする課題】
【０００３】
ところで、上述した携帯電話装置は、ジョグダイヤルを回転させることにより、ＣＰＵに登録されている特定人の個人情報を表示部に順次表示させるものであるため、ユーザが知りたい特定人の個人情報が表示部に表示されるまで、ジョグダイヤルを回転し続けなければならないことになる。これでは、ユーザが早急に知りたい特定人の個人情報が表示部に表示されるまでに、所定の作業（ステップ）が必要になるだけでなく、時間もかかり、ユーザにとって非常に不便である。
【０００４】
そこで、本発明は、上記事情を考慮し、特定人に対して実行可能な機能や個人情報などを瞬時に表示することができる携帯電話装置及びその制御方法を提供することを目的とする。
【課題を解決するための手段】
【０００５】
請求項１に記載の発明は、特定人の電子メールアドレスを記憶する記憶手段と、電子メールの作成画面を表示する表示手段と、所定のキーを１回入力することにより前記電子メールアドレスに送信するための電子メールの作成画面を前記表示手段に表示させる制御手段と、を有することを特徴とする。
【０００６】
請求項１に記載の発明によれば、ユーザにより所定のキーが１回入力されると、記憶手段に記憶された特定人の電子メールアドレスに送信するための電子メールの作成画面が制御手段によって表示手段に表示される。電子メールの作成画面が表示手段に表示されると、ユーザはキーを操作して文章などを作成し、作成終了後そのまま電子メールを特定人に送信することができる。これにより、頻繁に送信する特定人に対しては、所定のキーを１回入力することにより瞬時に特定人に送信するための電子メールの作成画面に移るため、電子メールの送信作業が簡略化され使い易くなる。
【０００７】
請求項２に記載の発明は、特定人に関する個人情報を表示する表示手段と、前記個人情報を記憶する記憶手段と、所定のキーを１回入力することにより前記個人情報を表示手段に表示させる制御手段と、を有することを特徴とする。
【０００８】
請求項２に記載の発明によれば、ユーザにより所定のキーが１回入力されると、記憶手段に記憶されている特定人に関する個人情報が制御手段によって表示手段に表示される。このように、特定人に関する個人情報が表示手段に表示されることにより、ユーザは特定人に関する個人情報を瞬時に知ることができる。
【０００９】
請求項３に記載の発明は、特定人に対して実行可能な機能と前記機能の実行に必要な内容作成画面とを表示する表示手段と、前記機能の表示内容と前記特定人の個人情報とを記憶する記憶手段と、所定のキーを１回入力することにより前記機能を前記表示内容に基づいて表示手段に表示させ、前記機能を選択することにより前記内容作成画面を前記表示手段に表示させる制御手段と、を有することを特徴とする。
【００１０】
請求項３に記載の発明によれば、ユーザにより所定のキーが１回入力されると、特定人に対して実行可能な機能が記憶手段に記憶されている表示内容に基づいて制御手段によって表示手段に表示される。表示手段に表示された機能が選択されると、その機能の実行に必要な内容作成画面が制御手段によって表示手段に表示される。内容作成画面が表示手段に表示されると、ユーザがその内容を作成し実行することにより、記憶手段に記憶されている特定人の個人情報に基づいて特定人に対して機能が実行される。このように、ユーザが所定のキーを１回入力することにより特定人に対して実行可能な機能を表示手段に表示できるため、特定人に対して実行可能な機能全体を瞬時に見分けることができ、さらに表示手段に表示された機能を選択することによりその機能の実行に必要な内容作成画面を表示手段に表示することができるため、ユーザは機能の実行に必要な内容を早急に作成することができる。
【００１１】
請求項４に記載の発明は、請求項３に記載の携帯電話装置において、前記個人情報は、特定人の電子メールアドレスであり、前記内容作成画面は、前記特定人の前記電子メールアドレスに送信するための電子メールの作成画面であることを特徴とする。
【００１２】
請求項４に記載の発明によれば、個人情報は特定人の電子メールアドレスであり、内容作成画面は特定人の電子メールアドレスに送信するための電子メールの作成画面であるため、ユーザは、電子メールの内容を早急に作成し、電子メールを送信することができる。
【００１３】
請求項５に記載の発明は、所定のキーが１回入力されると、記憶手段に記憶されている特定人の電子メールアドレスに送信するための電子メールの作成画面が制御手段により表示手段に表示されることを特徴とする。
【００１４】
請求項５に記載の発明によれば、所定のキーが１回入力されると、記憶手段に記憶されている特定人の電子メールアドレスに送信するための電子メールの作成画面が制御手段によって表示手段に表示される。電子メールの作成画面が表示手段に表示されると、ユーザはキーを操作して文章などを作成し、作成終了後そのまま電子メールを送信することができる。これにより、頻繁に送信する特定人に対しては、所定のキーを１回入力することにより瞬時に電子メールの作成画面に移るため、電子メールの送信作業が簡略化され使い易くなる。
【００１５】
請求項６に記載の発明は、所定のキーが１回入力されると、記憶手段に記憶されている特定人に関する個人情報が制御手段により表示手段に表示されることを特徴とする。
【００１６】
請求項６に記載の発明によれば、ユーザにより所定のキーが１回入力されると、記憶手段に記憶されている特定人に関する個人情報が制御手段によって表示手段に表示される。このように、特定人に関する個人情報が表示手段に表示されることにより、ユーザは特定人に関する個人情報を瞬時に知ることができる。
【００１７】
請求項７に記載の発明は、所定のキーが１回入力されると、特定人に対して送信可能な電子メール機能が制御手段により記憶手段に記憶されている表示内容に基づいて表示手段に表示され、前記電子メール機能が選択されると、前記記憶手段に記憶された前記特定人の電子メールアドレスに送信するための電子メールの作成画面が前記制御手段により前記表示手段に表示されることを特徴とする。
【００１８】
請求項７に記載の発明によれば、ユーザにより所定のキーが１回入力されると、特定人に対して送信可能な電子メール機能が記憶手段に記憶されている表示内容に基づいて制御手段によって表示手段に表示される。表示手段に表示された電子メール機能が選択されると、その機能の実行に必要な電子メールの作成画面が制御手段によって表示手段に表示される。電子メールの作成画面が表示手段に表示されると、ユーザが内容を作成し実行することにより、予め記憶手段に記憶された特定人の電子メールアドレスに電子メールが送信される。このように、ユーザが所定のキーを１回入力することにより特定人に対して送信可能な電子メール機能を表示手段に瞬時に表示できると共に、さらに電子メール機能を選択することによりその電子メール機能の送信に必要な作成画面を表示手段に表示することができるためユーザは電子メールの内容を早急に作成することができる。
【発明の効果】
【００１９】
請求項１に記載の発明は、頻繁に送信する特定人に対しては、ユーザが所定のキーを１回入力することにより瞬時に特定人に送信するための電子メールの作成画面に移るので、電子メールの送信作業が簡略化され使い易くなる。
【００２０】
請求項２に記載の発明は、ユーザが所定のキーを１回入力することにより記憶手段に記憶されている特定人に関する個人情報が制御手段によって表示手段に表示されるので、特定人に関する個人情報を瞬時に知ることができる。
【００２１】
請求項３に記載の発明は、ユーザが所定のキーを１回入力することにより特定人に対して実行可能な機能を表示手段に表示できるため、特定人に対して実行可能な機能全体を瞬時に見分けることができ、さらに表示手段に表示された機能を選択することによりその機能の実行に必要な内容作成画面を表示手段に表示することができるため、機能の実行に必要な内容を早急に作成することができる。
【００２２】
請求項４に記載の発明は、個人情報は特定人の電子メールアドレスであり、内容作成画面は特定人の電子メールアドレスに送信するための電子メールの作成画面とすることにより、電子メールの内容を早急に作成し、電子メールを送信することができる。
【００２３】
請求項５に記載の発明は、頻繁に送信する特定人に対しては、ユーザが所定のキーを１回入力することにより瞬時に電子メールの作成画面に移るので、電子メールの送信作業が簡略化され使い易くなる。
【００２４】
請求項６に記載の発明は、ユーザが所定のキーを１回入力することにより記憶手段に記憶されている特定人に関する個人情報が制御手段によって表示手段に表示されるので、特定人に関する個人情報を瞬時に知ることができる。
【００２５】
請求項７に記載の発明は、ユーザが所定のキーを１回入力することにより特定人に対して送信可能な電子メール機能を表示手段に瞬時に表示できると共に、さらに表示手段に表示された電子メール機能を選択することによりその電子メール機能の送信に必要な作成画面を表示手段に表示することができるため電子メールの内容を早急に作成することができる。
【発明を実施するための最良の形態】
【００２６】
次に、本発明の一実施形態に係る携帯電話装置について、図面を参照して説明する。
【００２７】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００２８】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２９】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００３０】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００３１】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００３２】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００３３】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。
【００３４】
また、制御回路３６は、ＲＡＭ４０と接続されている。このＲＡＭ４０には、制御回路３６の動作に必要な所定の情報や、特定人の個人情報（例えば、特定人の電子メールアドレス、特定人の電話番号、特定人に関するデジタル画像、特定人のＣメールアドレス、特定人のＧＰＳメールアドレス）などがそれぞれ記憶されている。
【００３５】
なお、本明細書において、「Ｃメール」とは、ａｕ（通信事業者）が発売するｃｄｍａＯｎｅ（登録商標）端末で利用できるショートメールサービスである。
【００３６】
また、制御回路３６には、液晶のディスプレイ４２が接続されている。このディスプレイ４２には、現在の時刻、電話番号、特定人に実行可能な機能の内容、特定人に関する個人情報（例えば、特定人に関するデジタル画像、電話番号、電子メールアドレス、Ｃメールアドレス、ＧＰＳメールアドレス）などがそれぞれ表示される。
【００３７】
また、制御回路３６には、入力部４４が接続されている。この入力部４４は、電話番号や各ロックナンバ等の入力を行うテンキー４８と、通話の開始を操作する通話キー５０と、通話の終了を操作する切キー５２と、電子メール機能やインターネット機能などの各種機能の設定を行う機能キー５４と、特定人に対して実行する機能の内容や特定人の個人情報をディスプレイ４２に表示するためのペアキー５６と、を有している。
【００３８】
次に、本実施形態に係る携帯電話装置１０の制御方法について、図２に示すフローチャートに基づいて説明する。
【００３９】
ステップ１００においてユーザが待受画面中でペアキー５６を１回入力すると、制御回路３６によりディスプレイ４２が制御されて、特定人に対して実行可能な各機能の内容（ペアメニュー、図３参照）７６がＲＡＭ４０に記憶されている表示内容に基づいてディスプレイ４２に表示される（ステップ１２０）。
【００４０】
具体的には、図３に示すように、このペアメニュー７６では、特定人のデジタル画像６０の他、電話機能を示す第１のアイコン６２、電子メール機能を示す第２のアイコン６４、ＲＡＭ４０に記憶した特定人の登録／編集機能を示す第３のアイコン６６、Ｃメール機能を示す第４のアイコン６８、ＧＰＳメール機能を示す第５のアイコン７０、ＲＡＭ４０に記憶した特定人の内容の確認機能を示す第６のアイコン７２がそれぞれ一覧表示されている。これにより、ユーザは、特定人に対して実行できる各機能をディスプレイ４２に瞬時に表示させることができ、実行可能な機能を瞬時にして見分けることができる。
【００４１】
なお、ペアメニュー７６で表示されるアイコンは、上記した各アイコン６２、６４、６６、６８、７０、７２に限られるものではなく、特定人に実行可能な他の機能を示したアイコンでもよい。
【００４２】
次に、例えば、ユーザが特定人に電子メールを送信する場合には、ユーザはテンキー４８を操作して第２のアイコン６４を選択する（ステップ１４０）。ユーザにより第２のアイコン６４が選択されると、制御回路３６によりディスプレイ４２が制御されて、図４に示すようにＲＡＭ４０に記憶された特定人の電子メールアドレスに送信するための電子メールの作成画面７４がディスプレイ４２に表示される（ステップ１６０）。電子メールの作成画面７４がディスプレイ４２に表示されると、ユーザがテンキー４８を操作し、送信するための電子メールの内容（例えば、文章など）が作成される（ステップ１８０）。電子メールの内容の作成が終了すると、ユーザが機能キー５４を入力して実行することにより、電子メールが特定人の電子メールアドレスに送信される（ステップ２００）。
【００４３】
また、図３に示すペアメニュー７６において、第１のアイコン６２を選択することにより特定人に電話をかけることができ、第３のアイコン６６を選択することにより特定人をＲＡＭ４０に記憶（登録）したり、既にＲＡＭ４０に記憶（登録）されている特定人の個人情報を編集することができ、第４のアイコン６８を選択することによりＣメールの本文入力画面をディスプレイ４２に表示させることができ、第５のアイコン７０を選択することによりユーザの現在位置を特定人に送信することができ、第６のアイコン７２を選択することによりＲＡＭ４０に記憶（登録）されている特定人の個人情報をディスプレイ４２に表示させることができる。
【００４４】
なお、ステップ１２０においてディスプレイ４２に特定人に実行可能に各機能（ペアメニュー７６）が表示されるが、このとき、各機能の内容表示と共に各機能に関連する特定人の個人情報（例えば、第１のアイコン６２であれば特定人の電話番号、第２のアイコン６４であれば特定人の電子メールアドレス、……、など）をディスプレイ４２上に表示するようにしてもよい。
【００４５】
また、上記した携帯電話装置１０の制御方法については、ユーザがペアキー５６を１回入力して、ディスプレイ４２にペアメニュー７６を表示させ、その後、各機能に移行する形態を説明したが、これに限られるものではない。
【００４６】
例えば、ユーザが待受画面において所定のキーを１回だけ入力することにより、制御回路３６によりディスプレイ４２が制御されて、ＲＡＭ４０に記憶された特定人の電子メールアドレスに送信するための電子メールの作成画面（図４参照）がディスプレイ４２に表示されるようにしてもよい。これにより、特定人の電子メールアドレスに電子メールを送信するときに、ユーザが所定のキーを１回だけ入力することにより、ペアメニュー７６の表示を経由しないで、瞬時に電子メールの作成画面７４がディスプレイ４２に表示されるため、早急に送信内容を作成することができる。特に、特定人の電子メールアドレスに電子メールを頻繁に送信する場合には、非常に便利になる。
【００４７】
さらに、特定人については１人であることに限られるものではなく、複数人に設定することもできる。例えば、ＲＡＭ４０に、複数の特定人の電子メールアドレスと、特定人の電子メールアドレスと入力されるキーとの対応関係を示すテーブルと、をそれぞれ記憶させておき、ユーザが所定のキーを１回だけ入力することにより、ユーザが入力したキーと対応する特定人の電子メールアドレスに送信するための電子メールの作成画面をディスプレイ４２上に表示させるようにしてもよい。これにより、複数人に電子メールを送信する場合には、ユーザが入力するキーを使い分けることにより、それぞれの特定人の電子メールアドレスに送信するための電子メールの作成画面に瞬時に移行することができ、非常に便利になる。
【図面の簡単な説明】
【００４８】
【図１】本発明の一実施形態に係る携帯電話装置のブロック図である。
【図２】本発明の一実施形態に係る携帯電話装置の作用を示すフローチャートである。
【図３】本発明の一実施形態に係る携帯電話装置の表示手段に表示されるペアメニューを示した図である。
【図４】本発明の一実施形態に係る携帯電話装置の表示手段に表示される電子メールの作成画面を示した図である。
【符号の説明】
【００４９】
１０      携帯電話装置
３６      制御回路（制御手段）
４０      ＲＡＭ（記憶手段）
４２      ディスプレイ（表示手段）
【図１】
2005244468.tif 000003
【図２】
2005244468.tif 000004
【図３】
2005244468.tif 000005
【図４】
2005244468.tif 000006